(57)【要約】【課題】全周にわたって配光し、高出力かつ器具効率の高いＬＥＤ電球を実現する。【解決手段】ＬＥＤ電球１は、筐体３に設けられた固定台５上にＬＥＤモジュール７およびレンズ８を配置している。レンズ８は、上端部に凹部８２ａを有している。この凹部８２ａは、ＬＥＤモジュール７からの出射光の一部を、当該出射光の出射前方（Ｙ方向）に対して垂直な方向またはこの垂直な方向よりも口金４側に傾斜した方向に反射させる反射面を形成している。レンズ８で反射された光の一部は、光学カバー２の拡散効果により、ＬＥＤ電球１の後方側（口金４側）に出射される。【選択図】図１
2011142060.tif 000002
【特許請求の範囲】
【請求項１】
光源としてのＬＥＤモジュールと、当該ＬＥＤモジュールを固定する固定台と、当該固定台を保持する筐体と、前記ＬＥＤモジュールを覆うように前記筐体に取り付けられる光学カバーと、当該光学カバーと反対側で前記筐体に取り付けられる口金とを備えたＬＥＤ電球において、
前記ＬＥＤモジュールからの出射光の一部を、当該出射光の出射前方に対して垂直な方向または当該垂直な方向よりも前記口金側に傾斜した方向に導くレンズを備えていることを特徴とするＬＥＤ電球。
【請求項２】
前記レンズは、前記ＬＥＤモジュールからの出射光の一部を反射させる反射面を有するレンズ本体部と、当該レンズ本体部を前記ＬＥＤモジュール上に支持する基台部とを有していることを特徴とする請求項１に記載のＬＥＤ電球。
【請求項３】
前記レンズは、底面に凹部を有していることを特徴とする請求項２に記載のＬＥＤ電球。
【請求項４】
前記凹部は前記ＬＥＤモジュールからの出射光がほぼ垂直に入射するように曲面状に形成されていることを特徴とする請求項３に記載のＬＥＤ電球。
【請求項５】
前記凹部は円錐状の曲面を有するように形成されていることを特徴とする請求項３に記載のＬＥＤ電球。
【請求項６】
前記光学カバーは、尖端形状を成していることを特徴とする請求項２から５のいずれか１項に記載のＬＥＤ電球。
【請求項７】
前記光学カバーは、透明な樹脂もしくはガラスからなることを特徴とする請求項２から６のいずれか１項に記載のＬＥＤ電球。
【請求項８】
前記光学カバーは、９９％のヘーズ値を有する光拡散性の樹脂からなることを特徴とする請求項２から６のいずれか１項に記載のＬＥＤ電球。
【請求項９】
前記光学カバーは、その表面にダイヤモンド状の加工が施されていることを特徴とする請求項２から８のいずれか１項に記載のＬＥＤ電球。
【請求項１０】
前記ＬＥＤモジュールの周囲に配置された反射板を備えていることを特徴とする請求項２から９のいずれか１項に記載のＬＥＤ電球。
【請求項１１】
前記反射板は、前記ＬＥＤモジュールを保持する保持部を有することを特徴とする請求項１０に記載のＬＥＤ電球。
【請求項１２】
前記レンズは、当該レンズの下方に伸びる脚部を有しており、
当該脚部は、前記固定台に設けられた穴に差し込まれていることを特徴とする請求項９または１０に記載のＬＥＤ電球。
【請求項１３】
前記固定台は、所定の高さの頂部を有しており、
前記レンズは、前記頂部上に配置されていることを特徴とする請求項１から１２のいずれか１項に記載のＬＥＤ電球。
【発明の詳細な説明】
【技術分野】
【０００１】
本発明は、広範囲に光を出射できる器具効率の高いＬＥＤ電球に関するものである。
【背景技術】
【０００２】
近年の環境への意識の高まりの中、白熱電球のような消費電力の高い照明用光源から、消費電力への低い光源への見直しが活発になっている。例えば、特許文献１に開示されているように、白熱電球の置き換えとして、ＬＥＤが用いられる事例が多くなっている。ＬＥＤは、発光効率がよく、蛍光灯のように水銀を使用していないことから環境にやさしい光源として注目されている。ＬＥＤは、点光源であり、かつ指向性が高い光源であるので、放射側となる前方に強い光を発するといった特徴を持っている。
【０００３】
一方、図１１に示すように、白熱電球１０１においては、電球体１０２の一端に口金１０３が設けられ、電球体１０２の内部にはフィラメント１０４が配置されている。このような発熱電球１０１は、点光源であるフィラメント１０４が発光するため、図１２に示すように、口金１０３で影になるところを除き、ほぼ３６０度全周にわたって光が放射される。
【０００４】
このように、ＬＥＤ電球は、白熱電球に対して配光範囲が狭いため、実用性を向上させるには、白熱電球の配光に近づけることが課題となる。例えば、特許文献１には、筒状の外壁面に複数のＬＥＤを立体的に配置することが記載されており、この構成によって配光範囲を広げることは可能である。しかしながら、この電球では、ＬＥＤ自体が電球の外部から見えるために美観を損ねるだけでなく、基板の構造が複雑になるためにコストが高くなるという不都合がある。このような不都合がなく、より簡素な構造により上記の課題を解決する手段としては、例えば、下記の例が挙げられる。
【０００５】
第１の例は、９９％に近いヘーズ値を有する拡散性の高い樹脂もしくはガラスをカバー材料として使用することである。この例では配光範囲を広げることができる。
【０００６】
第２の例は、横方向に光を出射するように配置された小型のＬＥＤ光源を使用し、内部にドーム状のレンズ（ドーム型レンズ）を取り付けることである（例えば特許文献２）。この例では、ある程度横方向に光を分散させてから、拡散性の高い樹脂またはガラスをカバー材料として使用する。また、特許文献２に記載されているドーム型レンズ付きのＬＥＤは、砲弾型ＬＥＤを想定していると考えられるが、このようなＬＥＤの場合、放熱などの観点から、大容量のＬＥＤでは実現できない。しかも、特許文献２の電球では、容量の小さいＬＥＤを用いるために設けられる周囲のＬＥＤも含めて、多数のＬＥＤを散在させることで横方向にも光を出射するようにしているが、大容量のＬＥＤを適用する場合、効率が低下するので、効率的には１つのＬＥＤモジュールで光を出力することが好ましい。
【先行技術文献】
【特許文献】
【０００７】
【特許文献１】特開２００１−２４３８０７号公報（２００１年９月７日公開）
【特許文献２】特開２００４−３４３０２５号公報（２００４年１２月２日公開）
【発明の概要】
【発明が解決しようとする課題】
【０００８】
まず、第１の例では、カバーが高くなるほど、光は後ろ（口金方向）に出射される。逆に言えば、カバーが十分に高くないと、光が後ろに出射されない。また、拡散性の高い材質は透過率が低い（反射率が高い）傾向にあるため、このような材質をカバーに用いると、器具効率（光源に対する光の取り出し効率）が低くなる。これにより、光が電球内部において部品（ＬＥＤ光源以外の部品）とカバーとの間で何度も反射を繰り返すうちに光量のロスが生じるほか、カバー自体でも数％の光量のロスが生じる。この結果、１０％程度の光量のロスが生じてしまい、光源の明るさの割に十分な明るさが得られない。
【０００９】
また、第２の例では、第１の例と比較して、カバーが低くても配光範囲を広げることができる。その一方、複数のＬＥＤの配光の調整が難しい上に、第１の例と同様、器具効率が低いといった欠点がある。
【００１０】
本発明は、上記の問題点に鑑みてなされたものであり、その目的は、広範囲にわたって配光し、高出力かつ器具効率の高いＬＥＤ電球を実現することである。
【課題を解決するための手段】
【００１１】
本発明に係るＬＥＤ電球は、光源としてのＬＥＤモジュールと、当該ＬＥＤモジュールを固定する固定台と、当該固定台を保持する筐体と、前記ＬＥＤモジュールを覆うように前記筐体に取り付けられる光学カバーと、当該光学カバーと反対側で前記筐体に取り付けられる口金とを備えたＬＥＤ電球において、上記の課題を解決するために、前記ＬＥＤモジュールからの出射光の一部を、当該出射光の出射前方に対して垂直な方向または当該垂直な方向よりも前記口金側に傾斜した方向に導くレンズを備えていることを特徴としている。
【００１２】
上記の構成では、ＬＥＤモジュールの光出射面からは、光の出射前方を中心として全方向に光が発せられ、当該出射前方に対して垂直の方向に近づくほど光の強度は低下する。レンズによって、ＬＥＤモジュールからの出射光の一部が、当該出射光の出射前方に対して垂直な方向または当該垂直な方向よりも口金側に傾斜した方向に導かれる。これにより、ＬＥＤ電球から、レンズを透過する光と側方に導かれる光とが出射されるので、広範囲にわたって光を出射することができる。
【００１３】
前記ＬＥＤ電球において、前記レンズは、前記ＬＥＤモジュールからの出射光の一部を反射させる反射面を有するレンズ本体部と、当該レンズ本体部を前記ＬＥＤモジュール上に支持する基台部とを有していることが好ましい。
【００１４】
この構成では、レンズ本体部が基台部によって高い位置に設けられている。これにより、レンズ本体部によって反射される光が筐体などの周辺部材によって遮られる範囲を減少させることができる。
【００１５】
前記ＬＥＤ電球において、前記レンズは底面に凹部を有していることが好ましい。この凹部は前記ＬＥＤモジュールからの出射光がほぼ垂直に入射するように曲面状に形成されていることが好ましい。あるいは、前記凹部は円錐状の曲面を有するように形成されていることが好ましい。
【００１６】
ＬＥＤモジュールから出射される光のうち、出射前方に進む光以外の光はレンズに対して非垂直で入射する。このような光については、その一部がレンズによって反射されるので光量のロスが生じる。逆に、ＬＥＤモジュールからの出射光をレンズに対して垂直に入射させると最も光量のロスが少なくなる。したがって、ＬＥＤモジュールからの出射光がほぼ垂直に入射するように、凹部が曲面状に形成されていることにより、光量のロスを少なくすることができる。
【００１７】
また、凹部を円錐状の曲面を有するように形成することにより、レンズへ入射した段階でＬＥＤモジュールからの出射光を屈折させることにより、側方に向かう光を多くすることができる。
【００１８】
前記ＬＥＤ電球において、前記光学カバーは、尖端形状を成していることが好ましい。このような尖端形状を成す光学カバーは、一般的な球状の光学カバーに比べて、より光拡散性が高い。したがって、このような光学カバーを用いることにより、さらに広範囲に光を出射することができる。
【００１９】
前記ＬＥＤ電球において、前記光学カバーは、透明な樹脂またはガラスからなることが好ましい。これにより、レンズから出射される光が光学カバーを透過するの損失を低減させることができる。それゆえ、器具効率をより一層高めることができる。
【００２０】
前記ＬＥＤ電球において、前記光学カバーは、９９％のヘーズ値を有する光拡散性の樹脂からなることが好ましい。これにより、レンズから出射される光を光学カバーによって、より広範囲に拡散させることができる。
【００２１】
前記ＬＥＤ電球において、前記光学カバーは、その表面にダイヤモンド状の加工が施されていることが好ましい。これにより、レンズから出射される光を光学カバーによって、より広範囲に拡散させることができる。
【００２２】
前記ＬＥＤ電球は、前記ＬＥＤモジュールの周囲に配置された反射板を備えていることが好ましい。これにより、レンズや、レンズから出射されて光学カバーなどによってＬＥＤモジュールの周辺に反射された光を反射板によってさらに反射させることによって、ＬＥＤ電球からの出射光の減少を抑えることができる。
【００２３】
前記ＬＥＤ電球において、前記反射板は、前記ＬＥＤモジュールを保持する保持部を有することが好ましい。これにより、ＬＥＤモジュールが反射板によっても保持されるので、ＬＥＤモジュールが下向きになるように配置されることの多いＬＥＤ電球において、ＬＥＤモジュールの浮きを防止することができる。
【００２４】
前記ＬＥＤ電球において、前記レンズは、当該レンズの下方に伸びる脚部を有しており、当該脚部は、前記固定台に設けられた穴に差し込まれていることが好ましい。これにより、レンズを固定台に強固に固定するとともに、レンズを配置するときの位置決めを容易にすることができる。
【００２５】
前記ＬＥＤ電球において、前記固定台は、所定の高さの頂部を有しており、前記レンズは、前記頂部上に配置されていることが好ましい。これにより、レンズがより高い位置に設けられることになり、レンズから出射された後方への光が筐体などにより遮られる範囲を大幅に減少させることができる。それゆえ、ＬＥＤ電球の器具効率をさらに向上させることができる。
【発明の効果】
【００２６】
本発明に係るＬＥＤ電球は、以上のように、ＬＥＤモジュールからの出射光の一部を、当該出射光の出射前方に対して垂直な方向または当該垂直な方向よりも口金側に傾斜した方向に導くレンズを備えていることにより、レンズの反射方向を適宜設定することで、配光の調整を容易にするとともに、光が筐体などで遮られる出射光を減少させて器具効率の向上を図ることができるという効果を奏する。
【図面の簡単な説明】
【００２７】
【図１】本発明の実施の形態１に係るＬＥＤ電球の構造を示す側面図である。
【図２】上記ＬＥＤ電球におけるＬＥＤモジュールの配置を拡大して示す平面図である。
【図３】図２のＡ−Ａ線矢視断面図である。
【図４】上記ＬＥＤ電球のＬＥＤ単体での配光を示す配光図である。
【図５】上記ＬＥＤ電球においてＬＥＤモジュールおよびレンズを設けた状態（光学カバーなし）の配光図である。
【図６】上記ＬＥＤ電球においてＬＥＤモジュール、レンズおよび光学カバーを設けた状態の配光図である。
【図７】実施の形態１に係るＬＥＤ電球の変形例におけるＬＥＤモジュールの配置を拡大して示す平面図である。
【図８】図７のＢ−Ｂ線矢視断面図である。
【図９】本発明の実施の形態２に係るＬＥＤ電球の構造を示す側面図である。
【図１０】図９のＬＥＤ電球におけるＬＥＤモジュールの配置を拡大して示す平面図である。
【図１１】従来の白熱電球の構造を示す側面図である。
【図１２】上記白熱電球の配光を示す配光図である。
【発明を実施するための形態】
【００２８】
〔実施の形態１〕
本発明の実施形態について図１〜図４に基づいて説明すると以下の通りである。
【００２９】
図１は、本実施形態に係るＬＥＤ電球１を示している。図２は、ＬＥＤ電球１におけるＬＥＤモジュール７およびレンズ８の配置を拡大して示している。図３は、ＬＥＤ電球１におけるレンズ８の構成を図２のＡ−Ａ線矢視断面にて示している。
【００３０】
（ＬＥＤ電球の構成）
図１および図２に示すように、ＬＥＤ電球１は、光学カバー２と、筐体３と、口金４と、固定台５と、反射板６と、ＬＥＤモジュール７とを備えている。
【００３１】
光学カバー２は、ＬＥＤモジュール７を覆って保護するとともに、ＬＥＤモジュール７からの光を透過させる。この光学カバー２は、透明な樹脂またはガラスからなる。特に、光学カバー２は、９９％のヘーズ値を有する光拡散性の樹脂からなることが好ましい。また、光学カバー２は、その表面にダイヤモンド状の加工が施されていてもよく、これにより、高い光拡散性を確保することができる。光学カバー２は、先端部分が尖った形状（尖端形状）を成している。なお、光学カバー２は、尖った形状ではなく球面状または曲面状に形成されていてもよい。
【００３２】
筐体３は、ＬＥＤモジュール７を駆動するための複数の駆動回路部品や、駆動回路部品に与える直流電圧を生成する電源（図示せず）を収容している。また、筐体３は、光学カバー２を取り付けるとともに、ＬＥＤモジュール７を固定する固定台５を保持している。また、筐体３は、駆動回路部品や電源の放熱機能を有するだけでなく、ＬＥＤモジュール７で発生する熱も放散する機能を有している。
【００３３】
口金４は、駆動回路部品に電気的に接続されるとともに、外部電源に接続されるソケットに螺合するようなネジ構造を有している。この口金４は、筐体３の一端部側（細く形成されている側）に取り付けられている。
【００３４】
固定台５は、筐体３の他端側（口金４が取り付けられる側に対する反対側）に設けられている。この固定台５は、ＬＥＤモジュール７および反射板６を固定するために、上面が平坦に形成されている。
【００３５】
光源となるＬＥＤモジュール７は、基板７１と、ＬＥＤデバイス７２と、蛍光体層７３とを有している。基板７１は、矩形状に形成されており、固定台５上に固定されている。この基板７１上の中央部分には、複数のＬＥＤデバイス７１が互いに間隔をおいて実装されている。さらに、基板７１上のＬＥＤデバイス７１が実装されている領域には、蛍光体層７３がＬＥＤデバイス７１を覆うように形成されている。蛍光体層７３の上面は、ほぼ平坦に形成されている。
【００３６】
反射板６は、光学カバー２やレンズ８により固定台５側に反射されたＬＥＤモジュール７の出射光を反射するために設けられている。この反射板６は、ネジ１０によって３箇所で固定台５上に固定されている。また、反射板６は、例えば、ネジ１０が挿通されるスペーサ（図示せず）によって、固定台５と一定の間隔をおいて、且つ反射板６の上面と基板７の上面とがほぼ同一の高さとなるように配置されている。また、反射板６は、基板７１の上面を露出させるように、中央部に基板７１の上面よりやや大きく形成された矩形状の開口部６１を有している。さらに、反射板６は、開口部６１の２つの対角の付近に基板７１側に突出する２つの保持爪６２を有している。
【００３７】
ＬＥＤモジュール７は、この保持爪６２によって基板７１が保持されることにより、固定台５上に固定されている。これにより、ＬＥＤモジュール７が反射板６によっても保持されるので、ＬＥＤモジュール７が下向きになるように配置されることの多いＬＥＤ電球１において、ＬＥＤモジュール７の浮きを防止することができる。
【００３８】
図３に示すように、レンズ８は、ＬＥＤモジュール７からの出射光の一部を所定の方向に導く（反射させる）ために設けられており、基台部８１と、レンズ本体部８２と、固定脚部８３とを有している。基台部８１は、円柱状に形成されており、基板７１上に配置されている。この基台部８１には、蛍光体層７３を収容するように凹部８１ａが形成されている。この凹部８１ａは、上面が蛍光体層７３の上面に沿うように平坦に形成されている。
【００３９】
なお、基台部８１には、上記の凹部８１ａの代わりに、凹部８１ｂまたは凹部８１ｃが形成されていてもよい。凹部８１ｂは、ＬＥＤモジュール７からの出射光がほぼ垂直に入射するように曲面状の上面を有している。また、凹部８１ｃは、円錐状の曲面を成す上面を有している。
【００４０】
レンズ本体部８２は、基台部８１上に設けられており、基台部８１の上端から上方に向かうにつれて、直径が大きくなるように（直径が大きくなるようなテーパ状に）形成されている。また、レンズ本体部８２には、上端面に凹部８２ａが形成されている。この凹部８２ａは、円錐状の曲面を成しており、ＬＥＤモジュール７からの出射光の一部を、当該出射光の出射前方となる直進方向（Ｙ方向）に対して垂直な方向またはこの垂直な方向よりも口金４側に傾斜した方向に反射させる反射面を形成している。凹部８２ａによる光の反射方向は、凹部８２ａの傾斜面のＹ方向に対する角度で設定される。
【００４１】
固定脚部８３は、レンズ８を固定台５に固定し、且つ位置決めするために設けられている。この固定脚部８３は、図３には１本しか現れていないが、レンズ本体部８２の側面に、等間隔で複数設けられている。各固定脚部８３は、一端がレンズ本体部８２の側面に取り付けられており、他端（先端部）が下方に伸びるように形成されている。各固定脚部８３の他端が固定台５に設けられた固定穴５１に差し込まれることにより、レンズ８を固定台５に強固に固定するとともに、レンズ８を基板７１上に配置するときの位置決めを容易にすることができる。
【００４２】
ここで、固定穴５１は、基板７１の側面に沿って下方に伸びるように形成されている。また、反射板６は、固定脚部８３の外周面に沿うような形状に形成されている。これにより、固定脚部８３は、外周面で反射板６と基板７１とに挟み込まれるように保持される。
【００４３】
（ＬＥＤ電球による実現事項）
上記のように構成されるＬＥＤ電球１では、ＬＥＤモジュール７の光出射面から、光の出射前方（Ｙ方向）を中心として全方向に光が発せられ、当該出射前方に対して垂直の方向に近づくほど光の強度は低下する。すなわち、Ｙ方向に進む光（直進光）の光強度が最も高い。
【００４４】
ＬＥＤモジュール７から出射された光は、一部がレンズ８を透過して出射されるが、残りは凹部８２ａの反射面で反射されて、Ｙ方向に垂直な方向またはこの垂直な方向よりも口金４側に傾斜した方向に導かれる。これにより、レンズ８からは側方または側方より後方（口金４側）にも光が出射される。レンズ８から出射された光の一部は、光学カバー２の拡散効果により、さらに後方にも出射される。特に、光学カバー２が尖端形状を成すことにより、光拡散効果が高まり、より広範囲に光を出射することができる。
【００４５】
また、レンズ本体部８２が基台部８１上に設けられていることにより、固定台５に対して、より高い位置で光を反射することから、その反射光が筐体３などによって遮られる範囲を減少させることができる。しかも、凹部８２の傾斜角度を適宜設定することにより、配光範囲を容易に調整することができる。さらに、レンズ８や、レンズ８から出射されて光学カバー２などによってＬＥＤモジュール７の周辺に反射された光を反射板６によってさらに反射させることによって、ＬＥＤ電球１からの出射光の減少を抑えることができる。
【００４６】
さらに、基台部８１に凹部８１ｂが形成されることにより、ロスを少なくすることができる。ＬＥＤモジュール７から出射される光のうち、出射前方（Ｙ方向）に進む光以外の光はレンズ８に対して非垂直で入射する。このような光については、その一部がレンズ８によって反射されるので光量のロスが生じる。逆に、ＬＥＤモジュール７からの出射光をレンズ８に対して垂直に入射させると最も光のロスが少ない。したがって、ＬＥＤモジュール７からの出射光がほぼ垂直に入射するように、凹部８１ｂが曲面状（望ましくは半球面状）に形成されていることにより、光のロスが少なくなる。
【００４７】
また、基台部８１に凹部８１ｃが形成されることにより、レンズ８へ入射した段階でＬＥＤモジュールからの出射光がレンズ８の中心に近づく方向へ屈折するので、凹部８１ａに比べて、側方に向かう光を多くすることができる。これにより、ＬＥＤ電極１の後方に出射させる光を増加させることができる。
【００４８】
（配光範囲の比較）
ここで、図４はＬＥＤ単体の配光範囲を示し、図５はレンズ８だけの配光範囲を示す。また、図６は光学カバー２およびレンズ８を両方採用した場合の配光範囲を示す。
【００４９】
図４と比較し、ＬＥＤモジュール７からの出射光をレンズ８に通すことで若干後方に光が出射される。それに加えて、光学カバー２を取り付けることにより、前方に出射される光が減少し、側方や口金４側に出射される光が増加する。
【００５０】
また、光学カバー２およびレンズ８を備えた場合の全光束・器具効率の関係を表１に示す。表１に示すように、器具効率は９５％程度となり、損失がほぼ５％に抑えられている。
【００５１】
【表１】
2011142060.tif 000003
【００５２】
〔変形例〕
続いて、本実施の形態の変形例について図７および図８に基づいて説明する。
【００５３】
図７は、本変形例に係るＬＥＤ電球１を示す平面図である。図８は、ＬＥＤ電球１におけるレンズ８の構成を図２のＢ−Ｂ線矢視断面にて示している。
【００５４】
（ＬＥＤ電球の構成）
本変形例では、図１および図２に示すＬＥＤ電球１において、レンズ８の代わりに、レンズ９が設けられている。
【００５５】
図７および図８に示すように、レンズ９は、レンズ８の基台部８１およびレンズ本体部８２と同等の機能を有する基台部９１およびレンズ本体部９２とを有している。したがって、基台部９は、基台部８の凹部８１ａと同等の機能を有する凹部９１ａを有しており、レンズ本体部９２は、レンズ本体部８２の凹部８２ａと同等の機能を有する凹部９２ａを有している。
【００５６】
レンズ９は、レンズ８とは異なり、固定脚部８３の代わりに、支持部９３および固定脚部９４を有している。
【００５７】
支持部９３は、基台部９１の下端部周囲に形成された矩形状の板部材であり、基台部９１およびレンズ本体部９２を支持している。この支持部９３は、基板７１上に配置されている。
【００５８】
固定脚部９４は、レンズ９を固定台５に固定し、且つ位置決めするために設けられている。この固定脚部９４は、レンズ９を間において対向するように、支持部９３の対向する２つの側面から下方に伸びるように２本形成されている。各固定脚部９４の他端が固定台５に設けられた固定穴５２に差し込まれることにより、レンズ９を固定台５に強固に固定するとともに、レンズ９を基板７１上に配置するときの位置決めを容易にすることができる。
【００５９】
（ＬＥＤ電球による実現事項）
この変形例では、レンズ９を設けることにより、レンズ８を設けたＬＥＤ電球１と同様に、出射光を後方に向けることができる。また、この変形例では、レンズ９の下端面（支持部９３）をＬＥＤモジュール７の基板７１の上端面と面接触させる構造となるので、レンズ９が傾くことを防止するとともに、ＬＥＤモジュール７が筺体３から浮かないように抑え込むことができる。さらに、この変形例では、固定脚部９４が基台部９１の下方に設けられているので、レンズ８の固定脚部８３と異なり、レンズ本体部９２からの反射光を遮ることがない。これにより、器具効率をレンズ８を備えたＬＥＤ電極１よりも向上させることができる。
【００６０】
〔実施の形態２〕
本発明の他の実施形態について図９および図１０に基づいて説明すると以下の通りである。図７は、本実施形態に係るＬＥＤ電球１１を示す側面図である。図１０は、ＬＥＤ電球１１におけるＬＥＤモジュール７およびレンズ９の配置を拡大して示している。
【００６１】
なお、本実施形態において、実施の形態２と同等の機能を有する構成要素については、同一の符号を付記して、その説明を省略する。
【００６２】
（ＬＥＤ電球の構成）
図９に示すように、本実施形態のＬＥＤ電球１１は、前述のＬＥＤ電球１の変形例のレンズ９を備えている。また、ＬＥＤ電球１１は、ＬＥＤ電球１の固定台５の代わりに、固定台１２を備えている。
【００６３】
この固定台１２は、筐体３の光学カバー２を取り付ける端部よりも、口金４から遠い側に突出するように（所定の高さを有するように）台形状に形成されている。レンズ９は、この固定台１２の頂部に固定されている。
【００６４】
（ＬＥＤ電球による実現事項）
このような構造により、ＬＥＤ電球１に比べて、レンズ９から出射された後方への光が筐体３などにより遮られる範囲を大幅に減少させることができる。これにより、ＬＥＤ電球１１の器具効率が向上するので、ＬＥＤ電球１に比べて、後方への出射光を増加させることができる。
【００６５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００６６】
本発明のＬＥＤ電球は、レンズによってＬＥＤモジュールの出射光を側方または側方より口金側へ導くことにより、ＬＥＤ電球の後方への配光を器具効率を高く維持した状態で実現することができるので、照明装置に好適に利用することができる。
【符号の説明】
【００６７】
１    ＬＥＤ電球
２    光学カバー
３    筐体
４    口金
５    固定台
６    反射板
８    レンズ
９    レンズ
７    ＬＥＤモジュール
１１    ＬＥＤ電球
１２    固定台
６２    保持爪（保持部）
７１    基板
７２    ＬＥＤデバイス
８１    基台部
８１ａ  凹部
８１ｂ  凹部
８１ｃ  凹部
８２    レンズ本体部
８２ａ  凹部
８３    固定脚部（脚部）
９１    基台部
９１ａ  凹部
９２    レンズ本体部
９２ａ  凹部
９３    支持部
９４    固定脚部（脚部）
【図１】
2011142060.tif 000004
【図２】
2011142060.tif 000005
【図３】
2011142060.tif 000006
【図４】
2011142060.tif 000007
【図５】
2011142060.tif 000008
【図６】
2011142060.tif 000009
【図７】
2011142060.tif 000010
【図８】
2011142060.tif 000011
【図９】
2011142060.tif 000012
【図１０】
2011142060.tif 000013
【図１１】
2011142060.tif 000014
【図１２】
2011142060.tif 000015